(57)【要約】【課題】臨場感のあるサラウンドをよりいっそう模擬可能であるマルチチャンネルイヤホンを提供する。【解決手段】二つの使用者の両耳に装着されるイヤホンユニット３０を備える。イヤホンユニット３０は耳を完全に被覆可能なハウジング３１と、耳の位置に対応するようにハウジング３１の中間部に装着される中間拡声器３２と、耳の前方に対応するようにハウジング３１内に装着される前方拡声器３３と、耳の後方に対応するようにハウジング３１内に装着される後方拡声器３４と、ハウジング３１の中間部に装着される重低音拡声器３５とを備える。前方拡声器３３の音放射面３３１は耳の輪郭４０の正面４１、後方拡声器３４の音放射面３４１は耳の輪郭４０の背面４２に向かう。【選択図】図４
2007325069.tif 000002
【特許請求の範囲】
【請求項１】
両耳に装着されるイヤホンユニットを備えるマルチチャンネルイヤホンであって、イヤホンユニットは、
耳を完全に被覆可能なハウジングと、
耳の位置に対応するようにハウジングの中間部に装着される中間拡声器と、
耳の前方に対応するようにハウジング内に装着される前方拡声器と、
耳の後方に対応するようにハウジング内に装着される後方拡声器と、
ハウジング内に装着される重低音拡声器とを備え、
前記前方拡声器の音放射面が耳の輪郭の正面に向かい、後方拡声器の音放射面が耳の輪郭の背面に向かうことを特徴とするマルチチャンネルイヤホン。
【請求項２】
前方拡声器は音放射面の中軸線と人体の鼻を貫き頭部を左右両辺に分割する模擬鉛直線との間の角度が３５度以下であり、後方拡声器は音放射面の中軸線と前記模擬鉛直線との間の角度が３５度以下であることを特徴とする請求項１に記載のマルチチャンネルイヤホン。
【請求項３】
ハウジングは内部に振動器を有することを特徴とする請求項１に記載のマルチチャンネルイヤホン。
【請求項４】
重低音周波数が１２０Ｈｚ以下であれば振動器が振動することを特徴とする請求項３に記載のマルチチャンネルイヤホン。
【請求項５】
音量出力が設定値以上であれば振動器が振動することを特徴とする請求項４に記載のマルチチャンネルイヤホン。
【発明の詳細な説明】
【技術分野】
【０００１】
本発明はイヤホン、詳しく言えばサラウンド効果を有するマルチチャンネルイヤホンに関するものである。
【背景技術】
【０００２】
周知のイヤホン１０は図１に示すようにハウジング１１内に平行に配列される前方拡声器１２、中間拡声器１３、及び後方拡声器１４を有し、前方拡声器１２及び後方拡声器１４によりサラウンドの前後音場効果を別々に模擬する。図２に示すようにもう一つの周知のマルチチャンネルイヤホン２０はハウジング２１内に前方拡声器２２、中間拡声器２３、及び後方拡声器２４を有する。その特徴は前方拡声器２２及び後方拡声器２４の音放射面が別々に外向きに配置され、中軸線と中間拡声器２３の軸線との間に角を有することである。第一種または第二種の周知のイヤホン１０、２０などのいずれも前後拡声器の音波伝送方向は実際上のサラウンドの音波伝送方向とやや異なる。実際上のサラウンドにおいて前方音響効果の音源は使用者の前方に位置付けられるため音波は使用者の前方に向かって進み、後方音響効果の音源は使用者の後方に位置付けられるため音波は使用者の後方に向かって進む。従って最良なサラウンドは図３に示すように前方音響効果が使用者の前方の５０度から７０度の間であり、後方音響効果が後方の５０度から７０度の間であり、左右両側が左右音響効果の範囲である。周知のマルチチャンネルイヤホンの前後拡声器の配置方法において音波の伝送方向が考慮されなかったため、模擬サラウンド効果の面では欠点がある。
【発明の開示】
【発明が解決しようとする課題】
【０００３】
本発明の主な目的は臨場感のあるサラウンドをよりいっそう模擬可能であるマルチチャンネルイヤホンを提供することである。
【課題を解決するための手段】
【０００４】
上述の目的を達成するため本発明によるマルチチャンネルイヤホンは二つの使用者の両耳に装着されるイヤホンユニットを備える。イヤホンユニットは耳を完全に被覆可能なハウジングと、耳の位置に対応するようにハウジングの中間部に装着される中間拡声器と、耳の前方に対応するようにハウジング内に装着される前方拡声器と、耳の後方に対応するようにハウジング内に装着される後方拡声器と、ハウジングの中間部に装着される重低音拡声器とを備える。その特徴は前方拡声器の音放射面が耳の輪郭の正面、後方拡声器の音放射面が耳の輪郭の背面に向かうことである。これにより前後拡声器から耳に伝送された音波を臨場感のあるサラウンドの音波によりいっそう近づけ、迫真的な音響効果を得ることが可能である。
【発明を実施するための最良の形態】
【０００５】
以下、本発明の一実施例について図面に基づいて説明する。まず図面の説明は次の通りである。
図４は本発明の一実施例の構造を示す模式図である。
図５は図４の５‐５線に沿う断面構造を示す模式図である。
本発明によるマルチチャンネルイヤホンは二つの使用者の両耳に装着されるイヤホンユニットを含む。イヤホンユニット３０は図４及び図５に示すように下記のものを含む。
【０００６】
ハウジング３１は耳を完全に被覆し、音隔離効果を形成することが可能である。
中間拡声器３２は耳の位置に対応するようにハウジングの中間部に装着される。
前方拡声器３３は耳の前方に対応するようにハウジング内に装着され、その音放射面３３１が耳の輪郭４０の正面４１に向かい、かつ音放射面３３１の中軸線３３２と人体の鼻を貫き頭部を左右両辺に分割する模擬鉛直線５０との間の角度閘１が３５度以下である。
【０００７】
後方拡声器３４は耳の後方に対応するようにハウジング内に装着され、その音放射面３４１が耳の輪郭４０の背面４２に向かい、かつ音放射面３４１の中軸線３４２と前記鉛直線５０との間の角度閘２が３５度以下である。
重低音拡声器３５は中間拡声器３３の下方に位置するようにハウジング内に装着される。
本実施例は前後方拡声器の配置角度を変えることにより放射された音波の伝送径路を臨場のサラウンド音場に近づけ、迫真的な音響効果を得る。
【０００８】
またハウジング内に振動器３６を配置することが可能である。特に中間拡声器３２の後方に配置し、重低音拡声器３５と組み合わせればイヤホンに振動効果を生成させることが可能である。例えば重低音周波数が１２０Ｈｚ以下であれば振動波が生じる。また同時に重低音の出力音量が所定の値に達すれば振動波が生じるように設定することも可能である。本実施例によるイヤホンは低音を聞く場合、静止状態を保持し、音量が設定値以上、重低音周波数が所定の周波数以下である場合、音の出力に伴い振動効果を生成し、よりいっそう良好な臨場感を達成することが可能である。
本実施例は前後方拡声器の配置角度のみを変えるものであるが、音源を正確にする効果を得ることが可能であるため、視聴者に良好な定位感を与えることが可能となる。また本実施例によるイヤホンは前述の振動器を配置するとこにより視聴者が極上の音響を享受することを可能にする。
【図面の簡単な説明】
【０００９】
【図１】周知のマルチチャンネルイヤホンを示す模式図である。
【図２】もう一つの周知のマルチチャンネルイヤホンを示す模式図である。
【図３】サラウンドの最良な配置角度を示す模式図である。
【図４】本発明の一実施例によるマルチチャンネルイヤホンの構造を示す模式図である。
【図５】図４の５‐５線に沿う断面構造を示す模式図である。
【符号の説明】
【００１０】
３０  イヤホンユニット、３１  ハウジング、３２  中間拡声器、３３  前方拡声器、３３１  音放射面、３３２  中軸線、３４  後方拡声器、３４１  音放射面、３４２  中軸線、３５  重低音拡声器、３６  振動器、４０  耳の輪郭、４１  正面、４２  背面、５０  模擬鉛直線
【図１】
2007325069.tif 000003
【図２】
2007325069.tif 000004
【図３】
2007325069.tif 000005
【図４】
2007325069.tif 000006
【図５】
2007325069.tif 000007